(57)【要約】【課題】釣り具と固定物（例えば、竿保持具、衣服、ベルト、その他等）とを簡単に且つ確実に連繋でき、不意の外力や、誤った動作や、魚の引き等で落下した釣り具を海中等に遺失せず、釣りの動作が窮屈とならず、余分な紐状体を、ドラムに巻き込んでおけ、紐状体自身が邪魔にならず、紐状体に捩れが生じ難く、耐久性に優れ、取扱い易く、使い勝手が良く、構成が簡素で、低廉な釣り具用連繋具を提供する。【解決手段】巻き込み回転となる向きに弾発力を付勢したドラム２を内蔵してなる連繋具本体１と、連繋具本体１の一端に旋回自在に装着した取付体４と、ドラム２に巻装して、連繋具本体１から巻き出し自在となる紐状体５と、紐状体５の先端に、より戻し６を介して固定した装着体７とを備え、取付体４で連繋具本体１を所望の固定物に取付けできるよう形成し、装着体７で紐状体５の先端部分を釣り具に装着できるよう形成する。【選択図】図１
0003161641.tif 000002
【実用新案登録請求の範囲】
【請求項１】
巻き込み回転となる向きに弾発力が付勢されているドラムを内蔵してなる連繋具本体と、この連繋具本体の一端に旋回自在に装着される取付体と、前記ドラムに巻装されて、連繋具本体から巻き出し自在となるように形成される紐状体と、この紐状体の先端に、より戻しを介して固定される装着体とを備え、取付体を利用して連繋具本体を所望の固定物に取付けできるよう形成すると共に、装着体を利用して紐状体の先端部分を釣り具に装着できるよう形成したことを特徴とする釣り具用連繋具。
【請求項２】
前記連繋具本体にロックレバーを設けて、ドラムの巻き込み回転を自在に停止できるよう構成したことを特徴とする請求項１記載の釣り具用連繋具。
【請求項３】
前記装着体を、面ファスナーで構成したことを特徴とする請求項１記載の釣り具用連繋具。
【考案の詳細な説明】
【技術分野】
【０００１】
本考案は、釣り具（例えば、釣り竿、たも網等）と適宜固定物（例えば、竿保持具、衣服、ベルト、その他等）とを紐状体で連繋させることにより、不意の外力や、誤った動作等で落下させた釣り具を海中等に遺失することがないようにした釣り具用連繋具に係り、特に、紐状体が邪魔にならずに処理できて、釣りの動作に影響を与えず、取扱い易く、使い勝手が良く、しかも、構成が簡素で、低廉に提供できるように工夫した釣り具用連繋具に関するものである。
【背景技術】
【０００２】
従来、この種の釣り具用連繋具としては、例えば、特許文献１に示されているような尻手ロープが一般的に利用されている。
これは、釣り竿のグリップ部分に設けた取付部のリングに尻手ロープの先端を縛り付けるようにしたものである。
【先行技術文献】
【特許文献】
【０００３】
【特許文献１】特開２００１−１６９６８７号公報
【考案の概要】
【考案が解決しようとする課題】
【０００４】
ところが、前述の如き尻手ロープを利用した場合は、尻手ロープ自体が短いと釣りの動作が窮屈となり、尻手ロープ自体が長いと尻手ロープ自身が邪魔になる問題点や難点等があった。
そこで、本考案は、前述のような問題点や難点等を解消すると共に、取扱い易く、使い勝手が良く、しかも、構成が簡素で、低廉な釣り用連繋具を提供すべく本願考案者により案出されたものである。
【課題を解決するための手段】
【０００５】
しかして、前述の如き課題を達成できるように、請求項１記載の釣り具用連繋具Ａにあっては、巻き込み回転となる向きに弾発力が付勢されているドラム２を内蔵してなる連繋具本体１と、この連繋具本体１の一端に旋回自在に装着される取付体４と、前記ドラム２に巻装されて、連繋具本体１から巻き出し自在となるように形成される紐状体５と、この紐状体５の先端に、より戻し６を介して固定される装着体７とを備え、取付体４を利用して連繋具本体１を所望の固定物に取付けできるよう形成すると共に、装着体７を利用して紐状体５の先端部分を釣り具に装着できるよう形成する手段を採用した。
【０００６】
また、請求項２記載の釣り具用連繋具Ａにあっては、前記連繋具本体１にロックレバー３を設けて、ドラム２の巻き込み回転を自在に停止できるよう構成する手段を採用した。
【０００７】
更に、請求項３記載の釣り具用連繋具Ａにあっては、前記装着体７を、面ファスナーで構成する手段を採用した。
【考案の効果】
【０００８】
従って、請求項１記載の釣り具用連繋具Ａによれば、釣り具（例えば、釣り竿Ｂ、たも網等）と適宜固定物（例えば、竿保持具Ｃ、衣服、ベルト等）とを釣り具用連繋具Ａで簡単に且つ確実に連繋させることができ、不意の外力や、誤った動作や、魚の引き等で落下した釣り具（例えば、釣り竿Ｂ、たも網等）を海中（或いは、川や湖）等に遺失することがなくなる。
特に、紐状体５は連繋具本体１から自在に巻き出せるので、釣りの動作が窮屈となったりすることがなく、更に、連繋具本体１に内蔵してあるドラム２は、巻き込み回転となる向きに弾発力が付勢されているので、余分な紐状体５は、ドラム２に巻き込んでおけるようになり、紐状体５自身が邪魔にならないものとなる。
しかも、取扱い易く、使い勝手が良く、構成が簡素で、低廉に提供できるものとなる。
そして、取付体４は、連繋具本体１の一端に旋回自在に装着され、装着体７は、紐状体５の先端により戻し６を介して固定されるので、紐状体５に捩れが生じ難いものとなる。すなわち、耐久性も優れたものとなる。
【０００９】
また、請求項２記載の釣り具用連繋具Ａによれば、取付体４の取付け位置等に応じて、連繋具本体１からの紐状体５の巻き出し長さを任意に変更或いはセットすることができるようになり、使い勝手の優れたものとなる。
【００１０】
更に、請求項３記載の釣り具用連繋具Ａによれば、装着体７を釣り具（例えば、釣り竿Ｂ、たも網等）の任意の位置に簡単に且つ確実に装着できるようになる。
【図面の簡単な説明】
【００１１】
【図１】本考案の釣り具用連繋具を例示する斜視図である。
【図２】本考案の釣り具用連繋具の使用例を示す正面図である。
【考案を実施するための形態】
【００１２】
以下、本考案を図示例に基づいて説明すると、次の通りである。
本考案は、釣り具（例えば、釣り竿Ｂ、たも網等）と適宜固定物（例えば、竿保持具Ｃ、衣服、ベルト、その他等）とを釣り具用連繋具Ａで連繋させることにより、不意の外力や、誤った動作等で落下させた釣り具を海中（或いは、川や湖）等に遺失することがないようにしたものである。
具体的には、巻き込み回転となる向きに弾発力が付勢されているドラム２を内蔵してなる連繋具本体１と、この連繋具本体１の一端に旋回自在に装着される取付体４と、前記ドラム２に巻装されて、連繋具本体１から巻き出し自在となるように形成される紐状体５と、この紐状体５の先端に、より戻し６を介して固定される装着体７とを備えたものである。
そして、取付体４を利用して連繋具本体１を所望の固定物に取付けできるよう形成すると共に、装着体７を利用して紐状体５の先端部分を釣り具に装着できるよう形成したものである。
【実施例】
【００１３】
前記連繋具本体１は、例えば、適宜金属材や適宜合成樹脂材等によって中空水滴形状に形成される外装ケースと、この外装ケースに内蔵される適宜金属製或いは適宜合成樹脂製のドラム２とを備えており、ドラム２は、回動自在に内装されると共に、内蔵されるゼンマイの弾発力が巻き込み回転となる向きに常時付勢されている。
【００１４】
図中３は、連繋具本体１に設けられるロックレバーを示し、このロックレバー３は、例えば、その操作（例えば、摺動動作）によって、ゼンマイの弾発力によるドラム２の巻き込み回転を停止させたり、或いは、この停止状態を解除させたりできるように形成されている。
【００１５】
前記取付体４は、例えば、適宜金属材や適宜合成樹脂材等によって形成され、連繋具本体１の一端に旋回自在に装着されている。すなわち、紐状体５が捩れ難くなるように形成されている。しかも、取付体４は、適宜固定物（例えば、竿保持具Ｃ、衣服、ベルト、その他等）に簡単に且つ確実に取付けできるように構成されたものが採用される。
【００１６】
前記紐状体５は、例えば、適宜金属材や適宜合成樹脂材等によって形成される極細で柔軟なロープによって構成され、その基端部分はドラム２に固定され、この先端部分はより戻し６に固定されている。尚、紐状体５は、適宜複合材で構成しても良い。例えば、安全性と耐久性と強度を考慮して、金属製極細ワイヤーの外表面を樹脂製パイプで被覆したものでも良い。
【００１７】
前記より戻し６は、例えば、市販のものが利用される。すなわち、コストが安く、紐状体５が捩れ難くなるように形成されている。しかも、より戻し６の紐状体５がわには、ゴム製の緩衝体が設けられており、紐状体５を巻き込んだ時に、より戻し６が連繋具本体１に直に衝突して、連繋具本体１が損傷するのを防ぐように形成してある。
【００１８】
前記装着体７は、例えば、面ファスナーが利用され、釣り具（例えば、釣り竿Ｂ、たも網等）の任意の位置に簡単に且つ確実に装着できるよう構成されている。
【００１９】
ところで、釣り具用連繋具Ａの具体的構成、形状、寸法、材質、連繋具本体１の具体的構成、形状、寸法、材質、ドラム２の具体的構成、形状、寸法、材質、配設位置、ロックレバー３の具体的構成、形状、寸法、材質、配設位置、取付体４の具体的構成、形状、寸法、材質、紐状体５の具体的構成、形状、寸法、材質、より戻し６の具体的構成、形状、寸法、材質、装着体７の具体的構成、形状、寸法、材質、配設位置等は図示例のもの等に限定されることなく適宜自由に設定、変更できるものである。
【００２０】
本考案の釣り具用連繋具Ａは、前述の如く構成されており、これを使用するときには、先ず、取付体４を適宜固定物（例えば、竿保持具Ｃ、衣服、ベルト、その他等）の任意の位置に取付ける。
そして、紐状体５を連繋具本体１から所望量巻き出すと共に、ロックレバー３を作動させる。
それから、装着体７を釣り具（例えば、釣り竿Ｂ、たも網等）の任意の位置に装着してセットされる（図２参照）。すなわち、図２は釣り竿Ｂを竿保持具Ｃにセットした置き竿状態を示すものである。
【産業上の利用可能性】
【００２１】
しかして、本考案の釣り具用連繋具Ａは、釣り具（例えば、釣り竿Ｂ、たも網等）と適宜固定物（例えば、竿保持具Ｃ、衣服、ベルト、その他等）とを簡単に且つ確実に連繋させることができるようになる。そして、不意の外力や、誤った動作や、魚の引き等で落下した釣り具（例えば、釣り竿Ｂ、たも網等）を海中（或いは、川や湖）等に遺失することを防止する。
【符号の説明】
【００２２】
Ａ      釣り具用連繋具
１      連繋具本体
２      ドラム
３      ロックレバー
４      取付体
５      紐状体
６      より戻し
７      装着体
Ｂ      釣り竿
Ｃ      竿保持具
【図１】
0003161641.tif 000003
【図２】
0003161641.tif 000004